(57)【要約】【課題】  従来、洗濯バサミつきの物干しハンガーを利用する場合、洗濯物を取り付けるにあたり、必ず両手が必要であったが、片手しか使えない人でも片手で洗濯物の着脱が可能な物干しハンガーを考案するものである。【解決手段】  片手で洗濯物が確実に取り付けられ、且つ片手で洗濯物を容易に傷めずに取り外すことができる物干しハンガーの構造として、洗濯バサミ自体を物干しハンガーのフレーム部に固定し、挟み部は、洗濯物をつまむ親指と人指し指以外の指や、親指の背を使って開閉させることができるように、挟み部の先を長く伸ばし、且つ挟み込む作業のしにくい方側は、挟み部全体を左右上下に回転させて作業のしやすい向きに変えられるよう考案した。【選択図】図１
0003125760.tif 000002
【実用新案登録請求の範囲】
【請求項１】
洗濯バサミの挟み部分を長く伸ばしたバネ付き、上下左右回転自在式物干しハンガー
【考案の詳細な説明】
【技術分野】
【０００１】  この考案は、洗濯バサミ部が左右及び上下に回転し、片手で洗濯バサミのクリップ部を開閉しながら同時にその手で洗濯物の取り付け取り外しができる物干しハンガーである。
【背景技術】
【０００２】  従来の洗濯物干しハンガーは、洗濯バサミの吊り下げられたものが一般的であり、一部に物干しハンガー本体部に洗濯バサミに代わる上下動式の球状のボール又はローラーを組み込み、洗濯物をこのボール等と本体との間に挟み込み吊るす考案があった。
【考案の開示】
【考案が解決しようとする課題】
【０００３】  洗濯物を物干しハンガーに吊るす場合又はハンガーから取り外す場合、従来片手で洗濯物を持ち、もう一方の手で洗濯バサミを開閉して着脱を行っており、作業に両手を要するものであり、片手しか使えない障害者等では容易に洗濯物を物干しハンガーに取り付け取り外しができないため、従来の洗濯バサミが吊り下げられた物干しハンガーの挟み部の形状を改良し、片手のままで洗濯物の取り付け取り外しができる物干しハンガーを考案するものである。
【課題を解決するための手段】
【０００４】  片手で洗濯物が確実に取り付けられ、且つ片手で洗濯物を容易に取り外すことができる物干しハンガーの構造として、洗濯バサミ自体を物干しハンガーのフレーム部に固定し、挟み部は、洗濯物をつまむ親指と人指し指以外の指で開閉させることができるように、挟み部の先を長く伸ばし、且つ挟み込む作業のしにくい方側は、挟み部全体を左右又は上下に回転させて作業のしやすい向きに変えられるよう考案したものである。
【考案の効果】
【０００５】  この考案の、挟み部回転自在式物干しハンガーの利用により、片手で、洗濯物の取り付け・取り外しともに容易となり、片手のみで作業をすることを余儀なくされていた人にとっては便利になり、物干し竿の使用時に要する広いスペースを確保することなく、狭いスペースでも使用可能な物干しハンガーでの洗濯物干しが可能となったほか、洗濯物の取り外しの際もスピーディーな作業が可能となるものである。
【考案を実施するための最良の形態】
【０００６】  本考案による片手で洗濯物の着脱が可能な物干しハンガーの、ハンガーフレーム（１）の側面には、洗濯物の挟み部取り付け用ベース（２）に一体化されたシャフト（２ａ）を差し込むための穴（１ａ）が設けられており、このベースのシャフト（２ａ）を中心として、ベース自体は上下に回転可能であり、さらに直角に曲げられたこのベースの上側となる面には、挟み部取り付け用の穴（２ｂ）をあけ、挟み部は、この穴に上部から吊り下げる形ではめ込まれ、ストッパーリング（２ｃ）により抜け落ちを防いで左右に回転をさせることができるように構成されており、この結果、先端に取り付けられる挟み部は、フレーム本体から見て上下左右に可動できる構造となり、片手で作業のしにくい向きとなった場合は、挟み部の方向を変えて洗濯物の着脱が容易となる構造とした。さらに、挟み部部分の構造は、挟み部中心軸部分（４）と、挟み可動部（５）共に、先端部分を指が掛けられるように長く伸ばし、洗濯物を指でつまんで着脱する際に、他の指と親指の背で、挟み部を押し広げ易い形状としたもので、左右の挟み可動部（５）は、挟み部中心軸（４）部分の中心をトンネル状にくりぬいたバネ貫通穴（４ａ）の中を通るバネ（６）で引き合う構造とするものである。
また、洗濯物を当該ハンガーに着脱する際に、ハンガー自体の揺れを最小限に抑えるため、当該ハンガー本体を物干し竿に吊るすための本体懸垂アーム（３）の物干し竿に接する溝部分の内側には、物干し竿との密着を高めるためのゴムラバー（３ａ）を貼り付けておくものである。【０００７】  当該ハンガー上部の物干し竿への取り付け部分となる本体懸垂アーム（３）の内側は、物干し竿を挟み込めるように上側ほど挟み込む部分の幅が狭くなる形状で、物干し竿に接する部分は内側に当該竿の向きと平行した向きで溝をつけたゴムラバー（３ａ）を貼り付ける構造とする。
【実施例】
【０００８】  本考案は、洗濯物を物干しハンガーに取り付けるにあたり、片手での着脱を可能としたものであり、挟み部中心軸（４）の上部両側に、固定ピン（７）で留められた先端を指の背が掛かるように長く湾曲した形に伸ばした形状の挟み可動部（５）が、挟み部中心軸（４）を貫くバネ貫通穴（４ａ）を通るバネ（６）により引き合う形で取り付けられ、挟み部全体が上下左右に可動できるように形作られた物干しハンガーである。
【産業上の利用可能性】
【０００９】  この考案は、片手の不自由な人の利用に供すことができ、洗濯バサミをつまむことのできにくい高年齢の方や、障害者の利用も見込まれる。
【図面の簡単な説明】
【００１０】  代表図は図１で、全体を示した斜視図である。【図１】全体を示した斜視図
【図２】全体を示した平面図
【図３】全体を示した側面図
【図４】全体を示した正面図
【図５】挟み部正面図
【図６】挟み部側面図
【符号の説明】
【００１１】    １    ハンガーフレーム
１ａ  シャフト差し込み用穴
２    挟み部取り付け用ベース
２ａ  ベースのシャフト
２ｂ  挟み部取り付け用の穴
２ｃ  ストッパーリンク
３    本体懸垂アーム
３ａ  ゴムラバー
４    挟み部中心軸
４ａ  バネ貫通穴
５    挟み可動部
６    バネ
７    固定ピン
【図１】
0003125760.tif 000003
【図２】
0003125760.tif 000004
【図３】
0003125760.tif 000005
【図４】
0003125760.tif 000006
【図５】
0003125760.tif 000007
【図６】
0003125760.tif 000008
【手続補正書】
【提出日】平成18年6月28日(2006.6.28)
【手続補正２】
【補正対象書類名】明細書
【補正対象項目名】０００６
【補正方法】変更
【補正の内容】
【０００６】  本考案による片手で洗濯物の着脱が可能な物干しハンガーの構造形態は、ハンガーフレーム（１）の外側に挟み部取り付け用ベース（２）が取り付けられ、この当該ベースに挟み可動部（５）と一体化した挟み部中心軸（４）が下側から差し込まれる形で取り付けられているものであり、具体的には、まずハンガーフレーム（１）の長手方向の両側面には、挟み部取り付け用ベース（２）を取り付けるための円形の穴（１ａ）が複数あけられており、この穴にそれぞれＬ型アングルを短くした形の挟み部取り付け用ベース（２）の円柱状のシャフト（２ａ）部分が差し込まれ、この差し込まれたシャフト部分の先端にはハンガーフレーム（１）からの抜け落ちを防ぐためのストッパーリング（２Ｃ）がはめ込まれ、ハンガーフレーム（１）に挟み部取り付け用ベース（２）が固定されます。このとき、挟み部取り付け用ベース（２）のシャフト部分の径は、ハンガーフレーム（１）にあけられた穴（１ａ）の径よりわずかに小さくしておくことにより、挟み部取り付け用ベース（２）は、当該ベースを手で回すことにより、ハンガーフレーム（１）に対して当該ベースのシャフトを中心にして回転させて向きを変えることが可能となるものである。また、ハンガーフレーム（１）から、挟み部取り付け用ベース（２）のシャフト部分が抜け落ちることを防ぐ方法として、当該ベースのシャフト部分の長さをハンガーフレーム（１）の厚さより長めにし、当該ベースのシャフト部分の先端の少し根元側に抜け落ち防止の役目をするストッパーリング（２Ｃ）をはめ込み固定するものである。次に、挟み部取り付け用ベース（２）への挟み部中心軸（４）の取りつけ方法は、挟み部取り付け用ベース（２）のシャフト部分の取り付けられていない側の面には、挟み部中心軸（４）を差し込み、取り付けるための円形の穴（２ｂ）があけられており、この穴に、挟み部中心軸（４）の円柱状のシャフト部分が、下側から差し込まれ、ストッパーリング（２Ｃ）により、固定して取り付けるものであり、挟み部取り付け用ベース（２）にあけられた挟み部中心軸（４）取り付け用の穴（２ｂ）を、挟み部中心軸（４）の径よりわずかに大きくしておくことにより、挟み部取り付け用ベース（２）に差し込まれた挟み部中心軸（４）部分は、手で回して向きを容易に変えることが可能となるものである。
さらに、洗濯物を挟む部分となる挟み部中心軸周りの構造は、挟み部中心軸（４）の両側には固定ピン（７）を差し込む小穴を設け、この小穴と、挟み可動部（５）に設けた固定ピン用の小穴とを直線的に合わせて固定ピン（７）を差し込み、挟み部中心軸（４）と挟み可動部（５）を接続するもので、挟み可動部（５）は、挟み部中心軸（４）をトンネル状にくりぬいたバネ貫通穴（４ａ）の中を貫通させたバネ（６）により、互いに内側に引き合う形で取り付けられるものである。また、挟み可動部（５）の形状は、固定ピン側から見て中間付近が、挟み部中心軸（４）側に突き出た形をしており、この突き出た部分と、挟み部中心軸（４）の中央付近のふくらみの部分との間で洗濯物をバネ（６）の引き合う力の作用で挟んで固定することができ、挟み可動部（５）の先端側の形状にあっては、先端側ほど挟み部中心軸（４）から離れる向きで湾曲しており、この湾曲した部分の内側と挟み部中心軸（４）との間に、親指の甲と他の指の甲を入れて挟み部を押し広げ、洗濯物を挟んで留める方法で利用する構造となるものである。
以上の構成により、挟み可動部（５）と一体化した挟み部中心軸（４）は、挟み部取り付け用ベース（２）に下側から差し込まれて吊り下げられる形で固定してありながら、挟み部取り付け用ベース（２）に対して左右に回転させる形で向きを変えることが可能となるものであり、加えて、挟み部中心軸（４）と一体となった挟み部取り付け用ベース（２）部分も、ハンガーフレーム（１）に対して上下に回して向きを変えることが可能となるものである。
また、洗濯物を当該ハンガーに着脱する際に、ハンガー自体の揺れを最小限に抑えるため、当該ハンガー本体を物干し竿に吊るすための本体懸垂アーム（３）の物干し竿に接する溝部分の内側には、物干し竿との密着を高めるためのゴムラバー（３ａ）を貼り付けておくものである。
【手続補正書】
【提出日】平成18年6月28日(2006.6.28)
【手続補正１】
【補正対象書類名】実用新案登録請求の範囲
【補正対象項目名】全文
【補正方法】変更
【補正の内容】
【実用新案登録請求の範囲】
【請求項１】
二つの挟み可動部（５）を、バネ（６）及び固定ピン（７）を介して、挟み部中心軸（４）をはさんで向き合う形に一体化し構成した部分の芯部をなす、挟み部中心軸（４）部分において、その上部の円柱状部分が、挟み部取り付け用ベース（２）の挟み部取付け用の穴（２ｂ）に、下側から左右に回転可能な状態で差し込まれ、且つ、ストッパーリング（２Ｃ）により抜け落ちを防ぎ固定し、さらに前述の、挟み部中心軸（４）と挟み可動部（５）及び、挟み部取付け用ベース（２）とが一体化した挟み部取り付け用ベース（２）のシャフト部分を、ハンガーフレーム（１）の複数個所にあけられた挟み部取付け用ベース（２）のシャフトを差し込むためのシャフト差し込み用穴（１ａ）に、外側から回転可能な状態で差し込み、且つ抜け落ちを防ぐストッパーリング（２Ｃ）により取り付けた物干しハンガーで、挟み可動部（５）と一体化した挟み部中心軸（４）部分は、挟み部取り付け用ベース（２）に対して左右に回転させることが可能で、且つ、挟み可動部（５）と挟み部中心軸（４）と一体化した挟み部取り付け用ベース（２）がハンガーフレーム（１）に対して上下に向きを可変可能な上下左右回転自在式物干しハンガー